(57)【要約】【課題】  自然葬を望む故人の意思を尊重し、遺族への心理的経済的負担を抑える霊園を提供する。【解決手段】  土材と遺骨とを混合させた表面造成材を霊園の敷地内に散布して、林野、池、築山等をもった公園状の霊園を作る。場所を特定せず自然葬と同じように表面造成材を散布する。霊園の維持管理に要する必要最小限の費用負担は発生しても、特定個人の墓標は存在しないため、遺族に対する個別の経済的な意味での利用負担はない。遺骨の埋葬箇所が特定されないため、墓石の掃除のためという墓参りの義務感を遺族にもたせない。霊園内に故人の名前を記した共同墓標があるだけでも、葬儀や埋葬に対する遺族の心理的拘束は格段に軽減される。【選択図】    図１
2007177582.tif 000002
【特許請求の範囲】
【請求項１】
基礎的な造成を施した園地の敷地内に、土、砂、砂利から選択した土材と遺骨とを混合させた表面造成材を散布して造園を行うことを特徴とする公園状霊園の造成方法。
【請求項２】
基礎的な造成を施した公園状霊園の敷地内に散布して造園を行う表面造成材であって、土、砂、砂利から選択した土材と遺骨とを混合させてなり、前記遺骨は粉砕されてなることを特徴とする公園状霊園の表面造成材。
【請求項３】
請求項２記載の表面造成材は、土、砂、砂利から選択した土材が、加熱滅菌したものであることを特徴とする公園状霊園の表面造成材。
【請求項４】
加熱滅菌した土材と、粉砕した遺骨とを混合してなる請求項２または請求項３記載の公園状霊園の表面造成材。
【発明の詳細な説明】
【技術分野】
【０００１】
本願発明は、故人の専用墓標をもたない共同墓地（霊園）に係り、とくに公園状に作った霊園の造成に関する。
【背景技術】
【０００２】
都市部への人口集中と、いわゆる核家族化の進行により、近年、大都市の近郊では埋葬墓地を求めることが難しくなっている。大都市に近い郊外地では墓地用の土地を安価で入手できる場合もあるが、故人の親族が当該市町村に住居していることなど種々の条件が伴う。
【０００３】
また、核家族化や単身生活者の増加、あるいは散骨など新しい形の葬儀希望者の増加により、旧来の墓地、葬儀、埋葬方式等に関しても、近年、社会的意識は著しい変化を見せている。
【０００４】
一方、このような事情を反映して墓地や埋葬等に関し、いくつかの新しい提案がみられる。例えば、特許文献１は、墓標の代わりとして樹木を用い、樹木の近くに死体または遺骨を埋葬するものである。墓標（墓石）を用いる代わりに樹木を用いることによって、霊園全体を緑地や公園の如き景観にたもち、いわゆる環境保全活動に貢献しようとするものである。
【０００５】
特許文献２は、区画した土地に墓標の代わりとなる樹木を植え、この樹木の近くに投入部を向けて、遺灰と水の混合液を投入し、遺灰を自然の土壌に浸透させるものである。
【特許文献１】特開２００３−１１３６７９
【特許文献２】特開２００２−１０６２０８
【発明の開示】
【発明が解決しようとする課題】
【０００６】
従来の提案は、墓標を用いず、自然景観の中に遺灰を埋葬するという点では優れているが、自然の山野や海洋への散骨を望む近年の埋葬観の社会的変化には必ずしも適応できていない。
【０００７】
山野や海洋への散骨（自然葬）を希望する者は、墓標をもたずに、山野や海洋という自然の中に遺骨が解き放たれることによって、生物の理にかない、限りある土地を長く無用に占有せず、宗教や宗派にとらわれず遺族にも負担をかけない葬法を採りたいと願う気持ちが根底にある。
【０００８】
これに対して、特許文献１や特許文献２に示される発明は、墓標の代わりに樹木を使用することによって近隣住民に対する景観の保全はなされるものの、墓標代わりの樹木が存在する以上、故人の遺骨の場所が特定されるため、墓参りをしないことに後ろめたさを感じる等、遺族に対する心理的な負担は残される。また、墓標代わりの樹木が存在するため、当該特定の樹木の維持や管理に対する経済的な負担も残される。
【０００９】
そこで、本発明の目的は、自然葬を望む故人の意思を最大限に尊重しつつ、遺族への心理的または経済的な負担を最小限に抑える点にある。
【課題を解決するための手段】
【００１０】
前記目的を達成するため、本発明に係る霊園は、基礎的な造園を施した園地の敷地内に、土、砂、砂利から選択した土材と遺骨とを混合させた表面造成材を散布して造成する（請求項１）。
【００１１】
この霊園の基礎的造成は、見かけ上は公園または庭園のような景観に仕上げる。敷地内に例えば林野、池、築山等を作る。この後、表面造成材として、土材と遺骨との混合物を用い長期にわたって造園を継続（継承）する。置き石やコンクリート舗装した遊歩道など特定の場所には土材と遺骨との混合物を散布できない場合もあるが、林野や池や築山等に見立てる造園箇所には場所を特定せず自然葬と同じように遺骨を散布することが出来る。なお、故人や遺族の意思によって特定箇所、例えば池のまわりであるとか築山であるとかに散布することが望ましいときは、それらの意思を尊重しても良い。特定の樹木が墓標の代わりになることを故人や遺族が強く望む場合も柔軟に対応することができる。
【００１２】
この公園状霊園は、基本的に、特定の場所が特定の個人の遺骨の埋葬場所というわけではないから、霊園の維持管理に要する必要最小限の費用負担は発生しても、特定個人の墓標は存在しないため、遺族に対する個別の経済的な意味での利用負担は発生しない。また、遺骨の埋葬箇所が特定されないため、墓石の掃除のためという墓参りの義務感を遺族にもたせない。霊園内に故人の名前を記した共同墓標があるだけでも、葬儀や埋葬に対する遺族の心理的拘束は格段に軽減される。なお、遺骨を含む表面造成材の散布時の記録（供養記録）は、例えば園地内の施設に配した端末装置等によって随時検索できるようにしておくことが望ましい。
【００１３】
公園状霊園の地面表面を造成する表面造成材は、遺骨と土材が混合したものであれば良いが、粉砕した遺骨を散布する自然葬を望む潜在需要が高いことから、表面造成材として用いる遺骨は、顆粒状または粉状に細かく粉砕されていることが望ましい（請求項２）。
【００１４】
土材は、土、砂、砂利から選択して使用する（請求項１、請求項３）。自然の景観をもった公園状霊園を造園するには、自然の林野や池や山を再現する必要から自然の土壌に類似した土材を用いることが望ましいからである。必要があれば、表面造成材に例えば砂礫等を加えてもよい。
【００１５】
遺骨は、土材と混合した後に粉砕しても良い。しかし、最も簡単に表面造成材を作る場合は、粉砕した遺骨を用いる（請求項４）。また、土材は、加熱滅菌したものを用いることが望ましい（請求項４）。加熱滅菌した土材を用いるのは、汚れのない自然の土材（浄土）を用いたいという遺骨の潜在的な要請に対する配慮である。なお、遺族または個人の意思に基づき、遺骨ないし表面造成材に対して宗教的な浄化を施しても良いことは勿論である。
【発明の効果】
【００１６】
本発明に係る公園状霊園によれば、個人的な墓標を持たずに遺骨を自然に回帰させるという自然葬を望む故人の意思を尊重でき、同時に遺族への心理的または経済的な負担を最小限に抑えることが可能となる。
【発明を実施するための最良の形態】
【００１７】
図１は、本発明に係る公園状霊園を例示するものである。公園状霊園は、運営当初は通常の造成土材を用いて造園した園地があり、園地の敷地内に、例えば、池１、築山２、遊歩道３、林野地４、記念塔５を設けてなる。６は傾斜面、７は階段である。
【００１８】
この公園状霊園は、敷地内の地面、とくに表土に、遺骨と土材とを混合させた表面造成材を散布して長期にわたって造成を継続する。具体的には例えば、池１の底面や周囲の土地、築山２、林野地４の地面などに遺骨を含む表面造成材を散布して、通常の公園の造成工事と同じように地面形成を行う。ここで用いる表面造成材は、公園状霊園に対する需要が続く限り発生する。なお、遊歩道３は歩行しやすいようにコンクリートやゴムマットを使用する場合もあるので、遊歩道３や休憩所（図示せず）、階段７の周囲には、遺骨を含む表面造成材を散布しないことが望ましい。
【００１９】
築山２は、予め造園しておくことが望ましいが、すべて遺骨を含む表面造成材によって造園用の土材料をまかなってもかまわない。公園状霊園の敷地の面積と散布する表面造成材との量との兼ね合いで景観の作成計画を作ることが望ましい。遺骨を含む表面造成材は、日々または一定期間毎に、わずかずつでも散布していく。従って、築山２のかたちや敷地内の地面の起伏は長い年月をかけて徐々に変化してゆく。勿論、遺骨を含む表面造成材の散布量が少ない処では、長年月を経過しても著しい景観の変化がないこともあり得る。
【００２０】
一方、遺骨を含む表面造成材の散布量が特に多い処では、長い年月のうちに敷地内の一般地面が高くなり、池１のくぼみが深くなることも想定されるが、その場合は池１の底面に新たに遺骨を含む表面造成材を敷設する工事を行う等により景観のバランスを保てばよい。
【００２１】
林野地４は、自然葬に類似する景観を作る上でも、また心理的抵抗感の少ない近隣住民の散策用の自然景観を作る上でも望ましいものである。敷地内に遺骨を散布するだけの無機質な霊園構造に比すれば、同種または異種の樹木を密集させて植林造園した林野地４の存在により、公園状霊園の利用希望者（潜在需要）の数を確実に高めることが出来る。
【００２２】
かかる公園状墓地は、都市の郊外の谷地でも造成が可能であるし、むしろ野趣に満ちた自然の谷地を利用することが好まれることも少なくない。人骨を含む表面造成材を用いることによって敷地内に数多くの遺灰を心理的な違和感なく収めることができるし、遺骨は粉砕すればごく僅かな量である。公園状の敷地内に表面造成材の一部として散布し続けても、数十年単位で土地の利用が不能になることもないし、僅かな管理維持費によっても霊園の運営を長く継続させることが出来る。
【００２３】
このため、将来的にも人口増加が見込めない郊外の土地や、人の住めない谷地などを公園状の霊園として使用することによって、当該地域の自治体および運営法人等が、多くの利用者の遺族等から僅かずつでも定期的な現金収入を得ることが可能となり、いわゆる財政の地域格差の解消にも資する休眠不動産の有効活用設備として発展させる可能性をもつ。
【００２４】
図２は、本発明に係る公園状霊園に用いる表面造成材の製造例を示すものである。この公園状霊園に用いる表面造成材１０は、遺骨（焼骨）１１を紛状に細かく粉砕（Ｓ１）する一方、土材１２を加熱（Ｓ２）して滅菌し、両者を混ぜて製造する。遺骨１１は、粉砕すれば容積は非常に少なくなる。土材１２は一般土壌で良いが、故人の遺志で特定された土（例えば故郷の土や思い出のある場所の土など）を用いても良い。また砂や砂利を用いても良い。
【００２５】
一般土壌や砂の場合、内部に各種の微生物が含まれるから加熱（Ｓ２）によって、滅菌または殺菌された清らかな土を用いることにより、遺骨への敬意を示すことが出来る。心理的なものであるが、自然葬に対する近隣住民の拒否反応や遺骨の取り扱いに関する遺族の慎重な態度はいずれも伝統、風俗、慣習に根ざした心理的なものである。公園状霊園の敷地内に遺骨を散布するに当たっても、出来る限り、近隣住民や遺族の心情に配慮することが望まれる。
【００２６】
このようにして得た表面造成材１０は、公園状霊園の敷地内に場所を限定せず散布する（Ｓ３）。特定個人の墓標は設けないのが基本であるから、どこにでも自由に表面造成材を散布して良いが、故人や遺族が望めば、特定の箇所に散布あるいは配置しても構わない。散布場所はとくに限定しない。遺族が表面造成材１０の散布に立ち会わない場合は遺族の意思を聴取したうえで、霊園管理者が表面造成材１０を散布することが望ましい。
【００２７】
遺骨１１を含む表面造成材には、他の表面造成材料を加えても良い。例えば、砂利、木炭、樹皮の破砕片等である。このうち例えば木炭の微細粉末は土壌に悪い影響がなく、雨水を浄化する作用や、地表面の空気を浄化する作用があり、遺骨を含む表面造成材の色合いを黒色系に調整することも出来る。このため、木炭粉末を表面造成材１０に混合すれば、公園状霊園の地面の表面の色合調整、雨水の浄化等、近隣の自然環境の保全にも役立つ。
【００２８】
公園状霊園の具体的な運用に際しては、表面造成材の散布場所を個人毎に記録して遺族が望む場合は当該データの検索を可能にしてもよい。また、お盆（盂蘭盆）のように社会習慣としての供養儀式を執り行うときは、その模様を例えばインターネット回線を介して遺族が各家庭の端末装置等を用いて動画受信出来るよう配慮することも望ましい。
【図面の簡単な説明】
【００２９】
【図１】本発明に係る公園状霊園の外観の構成例を示す図である。
【図２】本発明に係る公園状霊園の表面造成材の製造例を示すブロック図である。
【符号の説明】
【００３０】
１  池
２  築山
３  遊歩道
４  林野地
５  記念塔
６  傾斜面
７  階段
１０  表面造成材
１１  遺骨
１２  土材
【図１】
2007177582.tif 000003
【図２】
2007177582.tif 000004